(57)【要約】本発明は、１対の４０フィートコンテナを吊り上げることができるコンテナクレーンに関するものであって、２つの独立している吊り具のメインホイストとワイヤロープ巻き取りシステム、駆動シリンダを有する２つの吊り具、吊り具上部フレームに配置されたシーブ、トロリに配置された２つのホイストシーブを含む。第１吊り具のメインホイストと第２吊り具のメインホイストには、それぞれ巻上げドラム、吊り具ホイストモータ、制動機および吊り具のホイスト減速機が取り付けられており、２つの吊り具のメインホイストは同調して動作し、第１吊り具と第２吊り具はシリンダに連結されることにより、相互の接近と離反を実現する。
2007533564.tif 000002
【特許請求の範囲】
【請求項１】
第１吊り具のメインホイストと、ワイヤロープ巻き取りシステムと、駆動シリングを有する第１吊り具と、吊り具の上部フレームに配置されたシーブと、ホイストトロリに配置された巻き上げシーブセットとを含む１対の４０フィートコンテナを吊り上げることができるコンテナクレーンにおいて、
第２吊り具のメインホイストと、駆動シリングを有する第２吊り具と、第２吊り具の上部フレームに配置されたシーブと、ホイストトロリに配置された第２吊り具の巻き上げシーブセットと、２つのそれぞれ独立している第１吊り具のメインホイストと第２吊り具のメインホイストとを並列に組み合わせるためのメインワイヤロープ巻き取りシステムとを更に含み、
前記第１吊り具のメインホイストと第２吊り具のメインホイストには、それぞれ巻き上げドラム、吊り具のホイストモータ、制動機、および吊り具のホイスト減速機が取り付けられており、
前記第１吊り具のメインホイストと前記第２吊り具のメインホイストは、同調して動作し、第１吊り具と第２吊り具はシリンダに連結されることにより、２つの吊り具における相互の接近と離反を実現することを特徴とするコンテナクレーン。
【請求項２】
前記メインワイヤロープ巻き取りシステムにある第１吊り具のホイストワイヤロープは、それぞれ第１吊り具のメインホイストの巻き上げドラムから引き出されて、端部シーブを通り、更にホイストトロリにある第１吊り具のシーブセットを回り、第１吊り具の上部フレームにあるシーブまで到達した後、再びホイストトロリにある第１吊り具のシーブセットに戻り、最後に前部大梁の端部に直接到達して回転装置と接合しており、
前記メインワイヤロープ巻き取りシステムにある第２吊り具のホイストワイヤロープは、それぞれ第２吊り具のメインホイストの巻き上げドラムから引き出されて、端部シーブを通り、更にホイストトロリにある第２吊り具のシーブセットを回り、第２吊り具の上部フレームにあるシーブまで到達した後、再びホイストトロリにある第２吊り具のシーブセットに戻り、最後に前部大梁の端部に直接到達して回転装置と接合することを特徴とする請求項１に記載のコンテナクレーン。
【発明の詳細な説明】
【技術分野】
【０００１】
本発明は、リフト機械に関し、特に１対の４０フィートコンテナを吊り上げることができる岸壁用コンテナクレーンに関する。
【背景技術】
【０００２】
世界中ではコンテナの運輸に対する旺盛な需要およびコンテナターミナルの処理量の絶えざる増加により、コンテナ荷役用の機械設備に対し、より新しく、より高い要求がなされており、船舶の大型化と高速化によるクレーンの生産性に対する要求を満たすために、高効率を有する岸壁用コンテナ荷役システムの開発が差し迫った課題となっている。
しかし、現在、世界におけるクレーンは１回で４０フィートコンテナを１個しか吊り上げることができないため、その荷役効率は非常に低い。
【発明の開示】
【０００３】
本発明の目的は、１対の４０フィートコンテナを吊り上げることができるコンテナクレーンを提供することであり、従来のコンテナクレーンでは、１回で４０フィートコンテナを１個しか吊り上げることができない荷役効率の低さの問題を解決した。
【０００４】
本発明に係るコンテナクレーンは、１対の４０フィートコンテナを吊り上げることができるコンテナクレーンの一種であって、
第１吊り具のメインホイスト、ワイヤロープ巻き取りシステム、駆動シリンダを有する第１吊り具、吊り具の上部フレームに配置されたシーブおよびホイストトロリに配置された巻き上げシーブセットを含み、
第２吊り具のメインホイスト、駆動シリンダを有する第２吊り具、第２吊り具の上部フレームに配置されたシーブ、ホイストトロリに配置された第２吊り具の巻き上げシーブセット、および２つのそれぞれ独立している第１吊り具のメインホイストと第２吊り具のメインホイストとを並列に組み合わせるためのメインワイヤロープ巻き取りシステムを更に含む。
前記第１吊り具のメインホイストと第２吊り具のメインホイストには、それぞれ巻き上げドラム、吊り具のホイストモータ、制動機、および吊り具のホイスト減速機が取り付けられており、
前記第１吊り具のメインホイストと第２吊り具のメインホイストは、同調して動作し、第１吊り具と第２吊り具がシリンダにより連結されることにより、２つの吊り具が互いに接近し、離反することができる。
【０００５】
本発明の高効率コンテナ荷役設備は、１回で２個の４０フィートコンテナを吊り上げることができるので、荷役効率を従来方式より少なくとも６０％以上向上させることが可能である。これにより、設備コストを大幅に増加させることなく、高回収率で、大きな効果をあげられ、高い利益が得られ、かつ幅広く応用できる可能性が見込まれる。
【０００６】
本発明のコンテナクレーンは、１対の４０フィートコンテナの荷役作業を行い、下記の８つの課題を克服した。
１．  ２個の４０フィートコンテナ間における間隔変化、
２．  ２個の４０フィートコンテナ間における高さの相違、
３．  ２個の４０フィートコンテナの長手方向における八字形配列、
４．  ２個の４０フィートコンテナの長手方向における位置偏差、
５．  ２個の４０フィートコンテナにおいて一端が他端より高い場合（縦向き傾斜）、
６．  ２個の４０フィートコンテナにおいて上面が水平ではなく、かつ水平面と横向きの鋭角が生じている場合、
７．  ２個の４０フィートコンテナがクレーン軌道と縦方向に平行でない場合、
８．  ２個の４０フィートコンテナにおけるオーバーロード。
【０００７】
本発明は２つの独立した吊り具を採用し、シリンダを用いて２つの吊り具の間の接近・離反、高低差、水平移動、鋭角調整および接近・離反の機能を果たし、またシリンダを２つの吊り具から離脱させたとき、２つの吊り具を独立して操作することができる。各４０フィートコンテナ吊り具は、独立のメインホイストとワイヤロープ巻き取りシステムにより駆動される。１対の４０フィートコンテナの接近・離反は２つの吊り具を連結するシリンダにより実現される。
【発明を実施するための最良の形態】
【０００８】
図１〜図５を参照すると、本発明に係る１対の４０フィートコンテナを吊り上げることができるコンテナクレーンは、２つのそれぞれ独立している吊り具メインホイストとワイヤロープ巻き取りシステム、および２つの吊り具１，２と相互に連結した駆動シリンダが取り付けられている。吊り具の上部フレームにシーブを配置し、図４に示すように、符号３は第１吊り具の上部フレームであり、符号４は第２吊り具の上部フレームである。トロリには２セットの巻き上げシーブが配置され、即ち、第１吊り具１用の巻き上げシーブセット５と第２吊り具２用の巻き上げシーブセット６である（図５を参照）。
【０００９】
図３に示すように、第１吊り具のメインホイスト７と第２吊り具のメインホイスト８には、それぞれ巻き上げドラム７１，８１、第１吊り具のホイストモータ７１と第２吊り具のホイストモータ８１、制動機７３，８３、および第１吊り具のホイスト減速機７４と第２吊り具のホイスト減速機８４が取り付けられている。この２つのそれぞれ独立した第１吊り具のメインホイスト７と第２吊り具のメインホイスト８は、メインホイストワイヤロープ巻き取りシステムにより組み合わされ、並列に配置されている。図に表示された符号９は液圧ステーションであり、１０は水側で、１１は陸側である。
【００１０】
本発明においては、２つの吊り具メインホイスト７、８は同調して動作し、１対の４０フィートコンテナの巻き上げ作業を行い、かつ電気的な同調または機械的な同調により、２台の減速機を１台にすることができる。１対の４０フィートコンテナの負荷が設計値を超えた場合、２つのメインホイストを別々にして単独作業を行わせれば、吊り具において６０ｔの１個の４０フィートコンテナの巻き上げ作業もしくは負荷６０ｔの２個の２０フィートコンテナの巻き上げ作業を行うことができる。２つのメインホイストが１台の減速機を共用する場合、減速機と動力装置はただ１組の巻き上げドラムを駆動する。
【００１１】
図１に示すように、第１吊り具１と第２吊り具２は、シリンダ１５に連結されることにより、互いに対する近接および離反を実現する。図に表示の符号１６は、２つの吊り具の長手方向における水平移動のシリンダである。図２は２つの吊り具が離れている状態を示す。図１と図２の枠１７は１個の４０フィートコンテナもしくは２個の２０フィートコンテナを示す。
【００１２】
互いに分離可能で、かつ上部フレームを有する２つの２０フィートコンテナ２個吊りの吊り具が海側と陸側にそれぞれ１つずつ設置され、その間を平行の球面ヒンジで連結し、２つの吊り具の接近と離反を実現する。前記２つの吊り具において相互に接近するときの中心距離は２５００ｍｍであり、離反するときの中心距離は３７００ｍｍである。これにより、両コンテナ間の隙間を０〜１２００ｍｍ範囲での離反と接近を実現する。もう１つのシリンダの押し力を用いて、２つの吊り具の長手方向における位置偏差を実現し、その位置偏差の距離は０〜４００ｍｍである。
【００１３】
２つの吊り具を連結しているシリンダを２つの吊り具から迅速にはずすことにより、任意位置で２個の４０フィートコンテナの荷役を実現することができる。また、１対の２０フィートコンテナ用の１つの吊り具を最高の位置にまで上げて作業を停止させた状態で、もう１つの吊り具を用いて、１個の重さ６０ｔの４０フィートコンテナまたは２個の合計重量が６０ｔの２０フィートコンテナを荷役して作業を行うこともできる。
【００１４】
１対の４０フィートコンテナ吊り具は相前後してコンテナに装着される。即ち、先に一方の吊り具でコンテナを装着してロックピンをロックの状態にさせてから、もう一方の吊り具でコンテナを装着してロックピンを挿してロックする。２個の４０フィートコンテナがすべて装着されていることを確認した上で、両コンテナを同時に吊り上げ、作動させる。特別な場合は、例えば２個の４０フィートコンテナの隙間がシリンダ伸縮範囲を超える場合、まず一方の吊り具でコンテナを装着してから、トロリを移動して、もう一方の吊り具でコンテナを装着させる。これにより、より高い融通性を実現することができる。
【００１５】
２個の４０フィートコンテナの重さが８０ｔを超える場合、２個のコンテナの吊り上げ作業を同時に行うことができなくなるため、一方のメインホイストを用いて、相応の吊り具を最高の位置にまで上げて固定してから、もう一方のメインホイストを使って、２個の合計重量が６０ｔの２０フィートコンテナまたは１個の重さ６０ｔの４０フィートコンテナの吊り上げ作業を行う必要となる。
【００１６】
本発明のメインホイストワイヤロープ巻き取りシステムを採用することにより、２つの吊り具のメインホイストを同調させて動作させることが可能である（図６と図７を参照）。
【００１７】
図７に示すように、第１吊り具のホイストワイヤロープ２１は、第１吊り具のメインホイスト７の巻き上げドラムから引き出されて、各端部シーブ２２を通り、更にトロリにある第１吊り具のシーブセット５を回り、第１吊り具の上部フレームシーブ１２まで到達した後、再びトロリにある第１吊り具のシーブセット５に戻り、最後に前部大梁の端部に直接到達して、２つのシーブ２３を含める回転装置に接合する。第２吊り具のホイストワイヤロープ３１は、それぞれ第２吊り具のメインホイスト８の巻き上げドラムから引き出されて、端部シーブ３２を通り、更にトロリにある第２吊り具のシーブセット６を回り、第２吊り具の上部フレームシーブ１３まで到達した後、再びトロリにある第２吊り具のシーブセット６に戻り、最後に前部大梁の端部に直接到達して、２つのシーブ３３を含める回転装置に接合する。
【図面の簡単な説明】
【００１８】
【図１】図１は、本発明に係る１対の４０フィートコンテナを吊り上げることができるコンテナクレーンの２つの吊り具の連結を示す図である。
【図２】図２は、前記クレーンの２つの吊り具間の間隔が大きくなった場合を示す図である。
【図３】図３は、前記クレーンの２つの吊り具のメインホイストが設備室に配置された場合を示す図である。
【図４】図４は、前記クレーンのトロリシーブ配置の正面図である。
【図５】図５は、前記クレーンのトロリシーブ配置の上面図である。
【図６】図６は、前記クレーンのメインホイストワイヤロープ巻き取りシステムの取り付けを示す図である。
【図７】図７は、前記クレーンのメインホイストワイヤロープ巻き取りシステムの立体図である。
【符号の説明】
【００１９】
１，２：吊り具
３，４：上部フレーム
５，６：巻き上げシーブセット
７，８：メインホイスト
９：液圧ステーション
１２，１３：上部フレームシーブ
１５，１６：シリンダ
２１，３１：ホイストワイヤロープ
２２，３２：端部シーブ
７１，８１：巻き上げドラム
７３，８３：制動機
７４，８４：ホイスト減速機
【図１】
2007533564.tif 000003
【図２】
2007533564.tif 000004
【図３】
2007533564.tif 000005
【図４】
2007533564.tif 000006
【図５】
2007533564.tif 000007
【図６】
2007533564.tif 000008
【図７】
2007533564.tif 000009
【国際調査報告】
2007533564.tif 000010
2007533564.tif 000011
2007533564.tif 000012
2007533564.tif 000013